(57)【特許請求の範囲】
【請求項１】
搬送路内を搬送される記録シートの有無を検出する検出器を備え、前記検出器は、前記搬送路内に光を照射する発光素子と、前記搬送路を搬送される記録シートによって反射された光を検出する受光素子とを有し、前記搬送路は、記録シートを案内するガイド板から形成され、
前記ガイド板の一部に、前記発光素子から照射された光を前記受光素子以外の方向に反射させる反射面が非対称の凹部が形成され、前記凹部が、前記検出器と対向する位置に設けられ、前記発光素子の光軸が前記凹部の頂部を通り、
前記凹部は、照射された光を前記凹部内で複数回反射させるように、前記光軸に対して断面Ｖ字状に形成され、前記凹部の反射面の傾斜が異なり、前記凹部の深さは、前記凹部の幅以上の深さとされたことを特徴とする記録シート搬送装置。
【請求項２】
前記凹部の反射面は、搬送方向の上流側および下流側に形成され、上流側の反射面の傾斜が下流側の反射面の傾斜より急とされたことを特徴とする請求項１に記載の記録シート搬送装置。
【請求項３】
前記凹部の反射面が、湾曲形状に形成されたことを特徴とする請求項１または２記載の記録シート搬送装置。
【請求項４】
対向して形成された反射面の一方が凸面とされ、他方が凹面とされたことを特徴とする請求項３に記載の記録シート搬送装置。
【請求項５】
反射面の表面が、照射された光の反射を減らす形態とされたことを特徴とする請求項１〜４のいずれかに記載の記録シート搬送装置。
【請求項６】
反射面の表面に凹凸が形成されたことを特徴とする請求項５に記載の記録シート搬送装置。
【請求項７】
反射面の表面が、照射された光を吸収する色とされたことを特徴とする請求項５に記載の記録シート搬送装置。
【請求項８】
請求項１〜７のいずれかに記載の記録シート搬送装置を備えたことを特徴とする画像処理装置。
【発明の詳細な説明】
【技術分野】
【０００１】
本発明は、搬送される記録シートに画像を印刷する画像処理装置の記録シート搬送装置に関する。
【背景技術】
【０００２】
従来、複写機、プリンタ等の画像処理装置において、記録シートの位置を検知するための検出器として、機械的感知レバーが設けられ、前記レバーの動きをフォトインタラプタにより検知する。最近の画像処理装置では、処理の高速化のニーズが高まるに伴って、記録シートの搬送における搬送速度の高速化がますます求められる。しかし、従来の機械的な検出器では、感知レバーの応答速度のばらつきが大きく、シーケンス上での多くのマージンが必要とされる。これらが記録シートの搬送を高速化する弊害となっている。
【０００３】
そこで、記録シートの搬送を監視するために光学式の検出器が用いられる。検出器は、発光素子および受光素子を有し、発光素子は搬送路内に光を照射し、受光素子は、通過する記録シートによる反射光を受光する。記録シートの有無に応じた受光量の変化を検出することにより、搬送される記録シートが検出される。
【０００４】
しかし、搬送路に記録シートがないとき、発光素子からの光は、搬送路を形成するガイド板で反射して、受光素子が受光する。そのため、検出器が誤検知を起こすといった問題が生じる。
【０００５】
このような誤検知をなくすために、図４に示すように、ガイド板１０１に切り欠き１０２を形成する。検出器１００の発光素子からの光はガイド板１０１で反射せず、記録シートがないとき、受光素子は受光しない。しかし、切り欠き１０２の後方に広い空間を設ける必要があり、装置の小型化の弊害となる。また、切り欠き１０２を通り抜けた発光素子からの光が拡散して、隣接する画像形成部のユニットを照射してしまうという問題があった。
【０００６】
その他の方法としては、図５に示すように、ガイド板１０１の一部を断面Ｖ字状の凹部１０３を形成する。発光素子からの光は凹部１０３の反射面（側壁面）１０４で受光素子以外の方向に反射させ、記録シートがないとき、受光素子は受光しない。しかし、検出器１００の取付位置のバラツキ（凹部１０３の頂部１０５と発光素子、検出器１００の取付角度）や発光素子の発光角のバラツキ等により、反射した光を受光素子が受光する恐れがある。そのため、検出器の取付寸法および取付形状には、シビアな精度が必要となる問題があった。
【０００７】
これに対し、特許文献１の検出器では、搬送路を挟んで検出器の反対側に反射板が設けられる。反射板は、記録シートの搬送方向に対して傾斜している。記録シートがないとき、発光素子からの光は、反射板で反射するが、受光素子には向かわない。このような検出器では、上記の問題は生じない。
【特許文献１】特開昭５８−８９５４２号公報
【発明の開示】
【発明が解決しようとする課題】
【０００８】
特許文献１の反射板は、搬送路内に入り込んで設けられる。そのため、記録シートの搬送の邪魔になるおそれがある。記録シートの先端がカールしていた場合、搬送中に記録シートの先端が反射板に引っ掛かり、ジャムが発生する。
【０００９】
本発明は、上記に鑑み、記録シートの搬送の邪魔にならず、かつ、記録シートのないときの反射光の影響をなくして、記録シートの有無を検出できる記録シート搬送装置の提供を目的とする。
【課題を解決するための手段】
【００１０】
上記目的を達成するために、本発明では、搬送路内を搬送される記録シートの有無を検出する検出器を備え、前記検出器は、前記搬送路内に光を照射する発光素子と、前記搬送路を搬送される記録シートによって反射された光を検出する受光素子とを有し、前記搬送路は、記録シートを案内するガイド板から形成され、前記ガイド板の一部に、前記発光素子から照射された光を前記受光素子以外の方向に反射する非対称の凹部が形成され、前記凹部が、前記検出器と対向する位置に設けられたことを特徴とする。
【００１１】
ガイド板の凹部は、記録シートの搬送を邪魔するものではない。そのため、記録シートの先端がカールしていたとしても、搬送中に記録シートの先端が反射板に引っ掛かり、ジャムすることはない。
【００１２】
凹部を形成することにより、搬送路内に用紙がないとき、検出器の発光素子から発せられた光は、凹部の壁面（以下、反射面と言う）で反射される。凹部の反射面は、凹部の頂部（最深部）を通る発光素子の光軸に対して非対称に形成されている。凹部からの反射光を受光素子とは異なる方向に導くことができる。
【００１３】
凹部が光軸に対して対称に形成されている場合、対向する反射面では、対称的に反射する。一方、凹部が光軸に対して非対称に形成されている場合、対向する反射面での反射角度は異なる。すなわち、対称に形成された凹部に比べ、非対称の凹部からの反射光は、受光素子以外の方向に向かいやすくなり、広範囲に渡って受光素子に向かう。例え、反射光が受光素子に戻ってきても、対称に形成された凹部に比べて、反射光の受光量は少なくなり、検出レベルの設定により誤検知を防止できる。
【００１４】
凹部は、断面Ｖ字状に形成される。このとき、前記凹部の反射面の傾斜を異なるようにする。例えば、前記反射面は、検出器の光軸が凹部の頂部を通り、前記光軸に対して非対称に形成する。照射された光は、前記凹部内で複数回反射する。反射を繰り返すことにより、光は減衰する。受光素子は反射光を受光しても、その受光量が少ないため、記録シートからの反射光とは認識されない。
【００１５】
凹部の反射面が湾曲形状に形成される。反射面は、対向して形成された反射面の一方が凸面、他方が凹面といった湾曲面に形成することにより、反射光を拡散させたり、受光素子とは異なる方向に向けることができる。
【００１６】
凸面では反射光は拡散、凹面では反射光は集中される。凸面と凹面とを組み合わせることにより、受光素子以外の方向に反射光を向かわせることができる。
【００１７】
反射面の表面が、照射された光の反射を減らす形態とされる。例えば、反射面の表面に凹凸を形成する。あるいは、反射面の表面が、照射された光を吸収する色とする。反射面に照射された光が乱反射したり、吸収されたりするので、凹部からの反射光を低減できる。
【発明の効果】
【００１８】
本発明によると、ガイド板の一部に、発光素子から照射された光を受光素子以外の方向に反射する非対称の凹部を形成し、前記凹部が前記検出器と対向する位置に設けることにより、発光素子から発せられた光を受光素子から離れた方向に反射する、あるいは、反射する光の量を減少させることができる。したがって、発光素子から照射された光が凹部で反射しても、記録シートからの反射光とはみなされず、記録シートのないときの誤検知を防止できる。さらに、この凹部は、記録シートの搬送を妨げることはない。
【発明を実施するための最良の形態】
【００１９】
以下、本発明の画像処理装置を詳細に説明する。なお、説明の便宜上、画像処理装置１は、コピーモード、プリンタモード、スキャナモード、ファクシミリモード、および、ファイリングモードを有する複合機である。
【００２０】
画像形成装置１は、図１に示すように、プリンタ２を核に、スキャナ３、自動原稿搬送装置４、記録シート後処理装置５、多段給紙ユニット６、中継搬送ユニット８および両面搬送ユニット１０が接続され、機能が拡張されている。
【００２１】
スキャナ３は、その上部に配置された自動原稿搬送装置４と共に、システムラック７上に支持されることで、プリンタ２および記録シート後処理装置５の上方に配置されている。プリンタ２は、スキャナ３にて読込まれた画像の記録出力はもとより、パーソナルコンピュータ等の外部端末が接続されると、この外部端末からの画像データをも記録し、出力する。
【００２２】
このプリンタ２において、装置本体の略中央左側には、ドラム状の感光体２００を中心とする電子写真プロセス部２０が配置されている。プリンタ２本体の下側には、プリンタ２本体内に内装された記録シート供給部２１が配置されている。
【００２３】
記録シート供給部２１は、記録シートを収容する記録シート収容トレイ２１０と、記録シート収容トレイ２１０に収容された記録シートを１枚ずつ分離して供給する分離供給部２１１とで構成されている。
【００２４】
記録シート供給部２１から１枚ずつ分離して供給された記録シートは、電子写真プロセス部２０の感光体２００と転写ユニット２０３との間に順次供給され、感光体２００上に記録再現された画像が転写される。なお、記録シート供給部２１への記録シートの補給は、プリンタ２本体の正面側に記録シート収容トレイ２１０を引き出して行なう。
【００２５】
プリンタ２本体の下面には、周辺機器として準備されている多段給紙ユニット６等から送られてくる記録シートを受け入れ、電子写真プロセス部２０の感光体２００と転写ユニット２０３との間に向かって順次供給するための記録シート受口２７が設けられている。
【００２６】
電子写真プロセス部２０の上方には定着装置２３が配置されており、画像が転写された記録シートを順次受け入れて、記録シート上に転写された現像剤を加熱定着して定着装置２３外へと記録シートを送り出す。画像が記録された記録シートは、プリンタ２の排出ローラ２８からプリンタ２本体の上面の中継搬送ユニット８に受け渡される。
【００２７】
光走査ユニット２２の上下の空間部には、電子写真プロセスをコントロールするプロセスコントロールユニット（ＰＣＵ）基板および装置外部からの画像データを受け入れるインターフェイス基板を収容するプリンタ制御部２４、インターフェイス基板から受け入れられた画像データに対して所定の画像処理を施し、光走査ユニット２２により画像として走査記録させるためのイメージコントロールユニット（ＩＣＵ）基板を備えた画像制御部２５、これら各種基板、並びにユニットに対して電力を供給する電源ユニット２６等が配置されている。
【００２８】
多段給紙ユニット６は、外付けの記録シート供給装置であって、３つの記録シート供給部６１，６２，６３を有している。各記録シート供給部６１，６２，６３の記録シート収容トレイ６１０，６２０，６３０に収容した記録シートを、分離給送手段６１１，６２１，６３１によって、それぞれ１枚ずつ分離して、多段給紙ユニット６の上面に設けられて、プリンタ２の記録シート受口２７に連通している記録シート排出口６５に向かって供給する。
【００２９】
本実施形態では、稼働時、所望とするサイズの記録シートを収容した記録シート供給部６１，６２，６３が選択的に動作する。記録シート供給部６１，６２，６３への記録シートの補給は、多段給紙ユニット本体の正面側にシート収容トレイ６１０，６２０，６３０を引出すことで行われ、記録シート供給部６２，６３とには、同一サイズの記録シートが収納される。
【００３０】
また、多段給紙ユニット６は、上部にプリンタ２と後処理装置５を載置するように構成されているが、この状態で移動してシステムラック７の間に固定して配置可能なように、下部に移動コロ６９および固定部６８を備えている。移動時には、固定部６８を回転させて上昇させることで固定部６８を床面から離間させ、固定時には、固定部６８を逆向きに回転させて下降させることで固定部６８を床面に接触させて、多段給紙ユニット６を固定する。
【００３１】
なお、本実施形態では、３つの記録シート供給部６１，６２，６３を備えた構成を採用しているが、本発明は、これに限定されることなく、前記記録シート供給部２１を含めて、同一サイズの記録シートが収納される記録シート供給部が複数設けられる構成であればよい。
【００３２】
記録シート後処理装置５は、該装置の上部で中継搬送ユニット８またはプリンタ２から排出される画像の記録された記録シートを搬入ローラ５０で導き入れて、記録シートに対して後処理を施すものである。その記録シート後処理装置５は、ステープル処理を行い、プリンタ２と並べて設置され、プリンタ２にて画像記録が完了した記録シートを記録シート後処理装置５内に導入させるための搬入ローラ対５０を有する。
【００３３】
該搬入ローラ対５０の排紙方向下流側には、利用者にて指定されたモードに応じて、記録シートの搬送路を、ステープル処理を実施しない搬送路５３と、ステープル処理部５８に繋がる搬送路５５との間で、選択的に切り換える切換えゲート５２が配設されている。
【００３４】
この切換えゲート５２の案内によって、搬送路５３に搬入された記録シートは、排紙ローラ対５５の作用で、そのまま何の処理も施されることなく、上段の排紙トレイ５６上に排出される。
【００３５】
一方、切換えゲート５２の案内によって搬送路５５に搬入された記録シートは、該搬送路５５上に配置された搬送ローラ対５７によって、ステープル処理部５８に導かれる。ステープル処理後の記録シートは、下段の排紙トレイ５９に排出される。
【００３６】
スキャナ３は、シート状の原稿を自動原稿搬送装置４により自動的に供給して１枚ずつ順次露光走査して原稿画像を読み取る自動読み取りモードと、ブック物の原稿、もしくは自動原稿搬送装置４により自動供給が不可能なシート物の原稿をマニュアル操作によりセットして原稿画像を読み取る手動読み取りモードを備えている。
【００３７】
そして、透明な原稿裁置台３０上にセットされた原稿の画像を、相互に所定の速度関係で原稿裁置台３０に沿って移動する第１走査ユニット３１および第２走査ユニット３２で露光走査して、ミラーや結像レンズ３３等の光学部品で導いて光電変換素子３４上に結像させることで、原稿画像を電気的信号に変換した上で出力するものである。
【００３８】
自動原稿搬送装置４は、原稿セットトレイ４０上に載置された原稿を原稿載置台３０上に向かって搬送し、走査後の原稿を原稿排出トレイ４２上に排出する原稿搬送手段４１を備えている。また、自動供給が不可能なシート物の原稿を原稿裁置台３０上に載置して走査可能なように、装置奥側を支点にして上方に回動して、装置の手前側が開放するように構成されている。
【００３９】
中継搬送ユニット８は、プリンタ２の頂部に設けられた排紙トレイ９の上部に装着され、プリンタ２から排出される画像が記録されたシートを、プリンタ２の下流側に位置する記録シート後処理装置５に向かって導入するための搬送ユニットである。
【００４０】
また、この中継搬送ユニット８の記録シート搬送経路８４の途中で、記録シートを該ユニットの上面８２と記録シート後処理装置５の上面５４とで形成された排出トレイ９にシートを導く別の記録シート搬送路８３が、分岐している。２つの排出先は、搬送路の分岐部に配置されたゲート８１の切換えによって変更可能になっている。
【００４１】
前記排出トレイ９は、記録シートの反転搬送路として使用されるようにもなっており、外付けの（開閉自在な被移動体としての開放扉１５と一体の）両面搬送ユニット１０と合わせて、記録シートの両面への画像形成を実現する。このため、前記排出ローラ２８は正逆両方向に回転可能となっている。記録シート供給部２１，６１，６２，６３から電子写真プロセス部２０および定着装置２３への搬送路（記録シート搬送路）６４には、定着装置２３の下流側にゲート２５１が設けられている。
【００４２】
定着の終了したシートは、前記ゲート２５１が、図１の実線側に切換わっていると、前記記録シート後処理装置５または前記排出トレイ９へ排出される。そして、前記のように前記排出トレイ９が反転搬送路として使用される場合には、記録シートが引き戻され、破線側に切換わっているゲート２５１を介して、前記搬送路２５０に反転搬送される。このようにして、記録シートの両面への画像形成が可能となる。
【００４３】
記録シートが搬送される搬送路Ｃには、記録シートの搬送を検出する複数の検出器である搬送検出センサＡが設けられる。搬送検出センサＡは、発光素子および受光素子を有する反射型センサである。搬送検出センサＡは、発光素子が搬送路Ｃを通過する記録シートに赤外光を照射し、受光素子が反射光を受光することにより記録シートの有無を検知する。
【００４４】
搬送検出センサＡは、発光素子と受光素子とが搬送方向に沿って並んで配置される。発光素子が搬送方向の上流側、受光素子が搬送方向の下流側に配置される。なお、発光素子および受光素子の並びは、特にこれに限定されるものではなく、発光素子が搬送方向の下流側、受光素子が搬送方向の上流側に配置されても良い。あるいは、搬送方向に直交する方向に並べて配置しても良い。
【００４５】
次に、本発明の特徴である搬送路Ｃに記録シートが無い場合に、発光素子から照射された光の反射光が受光素子以外の方向に反射する搬送路Ｃの構造について説明する。
【００４６】
搬送路Ｃは、図２に示すように、向かい合う２枚のガイド板３０１ａ，３０１ｂに挟まれた空間である。一方のガイド板３０１ａの外側に搬送検出センサＡが備えられる。一方のガイド板３０１ａの搬出検出センサＡと対向する位置には、発光素子から照射された光および反射した光が通る穴３０４が形成される。
【００４７】
他方のガイド板３０１ｂの搬出検出センサＡと対向する位置には、断面Ｖ字状の凹部Ｂが形成される。具体的には、他方のガイド板３０１ｂを外側に突出させて凹部Ｂが形成される。搬送検出センサＡは、その発光素子の光軸が凹部Ｂの頂部（最深部）３０５を通るように配置される。
【００４８】
凹部Ｂは、搬送方向に直交する方向に沿った溝形状に形成される。凹部Ｂの壁面は、発光素子から照射された光が反射する反射面３０２ａ，３０２ｂとされる。反射面３０２ａ，３０２ｂは、搬送検出センサＡの発光素子の光軸に対して非対称に形成される。
【００４９】
具体的には、搬送方向の上流側の反射面３０２ａは、凹部Ｂの内側に突出した凸面とされる。一方、搬送方向の下流側の反射面３０２ｂは、凹部Ｂの外側に突出した凹面とされる。上流側の反射面３０２ａは、下流側の反射面３０２ｂと比べ、光軸に対して傾斜が急に形成される。すなわち、下流側の反射面３０２ｂは、光軸に対して傾斜が緩やかに形成される。
【００５０】
凹部Ｂの搬送方向に直交する方向の幅は、他方のガイド板３０１ｂの幅と同等に形成される。この構成によると、ガイド板３０１ａ，３０１ｂを加工して凹部Ｂを形成する場合、加工が容易となる。なお、凹部Ｂの搬送方向に直交する方向の幅は、特にこの限りではなく、照射された光が反射面３０２ａ，３０２ｂに当たる幅であればよい。
【００５１】
また、搬送方向と並行に反射面（壁面）を設ける場合、その反射面は、搬送方向に直交する方向の反射面３０２ａ，３０２ｂと同様に、一方の反射面を凹部Ｂの内側に突出した凸面とし、他方の反射面を凹部Ｂの内側に突出した凹面としても良い。あるいは、両方を搬送路に対して直交する壁面、凹面、凸面等に形成しても良い。
【００５２】
凹部Ｂの搬送方向の幅、すなわち、凹部Ｂの開口部は、搬送検出センサＡの発光素子より照射される光の束と同等、あるいは、それより大きく形成される。
【００５３】
凹部Ｂの深さは、照射された光が凹部Ｂ内で反射を繰り返す回数が多くなるように、深く形成される。具体的には、凹部Ｂの搬送方向の幅と同等の深さ、あるいは、それ以上の深さとされる。なお、凹部Ｂの深さは、特にこの限りではなく、凹部Ｂの開口部の幅に対し浅くとも深くとも設定は可能である。すなわち、凹部Ｂの深さは、照射された光が最低でも１回以上は反射する深さであればよい。ただし、凹部Ｂの反射面３０２ａ，３０２ｂは、受光素子へ反射しないように設定する必要がある。
【００５４】
記録シートが搬送されていないとき、発光素子から照射された光は、図２中の破線で示すように、凹部Ｂの両側の反射面３０２ａ，３０２ｂに当たりながら広がっていく。具体的には、図２に示すように、照射した光は、先ず、いずれか一方の反射面３０２ａ，３０２ｂに当たり、反射した光が他方の反射面３０２ａ，３０２ｂに当たる。各反射面３０２ａ，３０２ｂで反射する方向が異なる。照射された光が前記凹部Ｂの内で複数回反射する。複数回反射を繰り返すことにより、凹部Ｂから反射される光の範囲が広がり、受光素子側に向かう反射光は、光軸に対して非対称に広がる。また、複数回の反射により、光が減衰する。したがって、反射光を受光素子が受光したとしても、受光量が少なくなる。すなわち、設定された反射光の有無の判断基準の基準値よりも小さい。そのため、受光した光が反射光とみなされない。すなわち、記録シートがないと判断することができるので、誤検知を防止できる。
【００５５】
例えば、図３に示すように、光軸に対して対称の凹部の場合、反射面１０４からの反射光の範囲は、光軸を中心に対称となる。そして、反射面３０２ａ，３０２ｂの傾斜角を、それぞれ上流側の反射面３０２ａと同じにした場合、対称の凹部から受光素子側に向かう反射光は、非対称な凹部からの反射光に比べて狭い範囲となる。すなわち、反射光が拡散せず、受光素子の受光量が多くなる。その結果、誤検知しやすくなる。一方、非対称の凹部Ｂにすることにより、図２に示すように、凹部Ｂからの反射光は広がるので、受光素子の受光量は少なくなる。
【００５６】
凹部Ｂからの反射光は、その一部だけがガイド板３０１ａの穴３０４を通り、受光素子が受光する。それ以外の反射光は、対向するガイド板３０１ａに当たって、搬送路Ｃ内に反射する。すなわち、受光素子が受光するのは、一部の反射光のみである。非対称の凹部Ｂは、対称の凹部Ｂに比べて、反射光を拡散させる。そのため、穴３０４を通り抜ける反射光の光束密度は、対称の凹部Ｂの反射光に比べて非対称の凹部Ｂの反射光の方が小さくなる。すなわち、受光素子の受光量は、対称の凹部Ｂの反射光に比べて非対称の凹部Ｂの反射光の方が少なくなる。
【００５７】
以上のことから、非対称の凹部Ｂでは、誤検知をなくすことができる。
【００５８】
次に、記録シートが搬送路Ｃを搬送されるとき、搬送検出センサＡの発光素子から発せられた光は、搬送路Ｃ内を通過する記録シートによって反射される。受光素子は、この反射光を受光する。
【００５９】
記録シートが通過したとき、発光素子から発せられた光は、凹部Ｂの反射面３０２ａ，３０２ｂで反射する。この反射面３０２ａ，３０２ｂは、曲面に形成されているので、反射光は、受光素子とは異なる方向に反射される。そのため、受光素子における反射光の受光量が減る。このように、搬送検出センサＡは、受光量の変化により記録シートの通過を検出する。また、搬送路Ｃにおいて、ジャムが発生したとき、搬送検出センサＡは、一定時間以上、反射光を受光する。これにより、搬送検出センサＡは、ジャムの発生を検出する。
【００６０】
発光素子から発せられた光は、ガイド板３０１ａ，３０１ｂを通り抜けないので、画像形成部３を照射することはなく、印刷への悪影響を防止できる。また、湾曲形状の反射面３０２ａ，３０２ｂを有する凹部Ｂを形成することにより、搬送路１１内に別部材が入り込むことがなく、記録シートの搬送を妨げない。
【００６１】
なお、本発明は、上記実施形態に限定されるものではなく、本発明の範囲内で上記実施形態に多くの修正および変更を加え得ることは勿論である。記録シート搬送装置を備えた画像処理装置として、複合機、コピー機、ファクシミリ機であってもよく、さらに原稿自動搬送機能を有するスキャナであってもよい。また、記録シート搬送装置単体であってもよい。
【００６２】
凹部の反射面の表面を照射された光を受光素子への反射を減らす形態としても良い。例えば、反射面の表面に凹凸を形成する。あるいは、反射面の表面が、照射された光を吸収する色にする。この構成により反射面に照射された光が拡散したり、吸収されたりするので、受光素子に到達する光量が減少する。非対称の凹部の反射面を、このような形態にすることにより、さらなる光の減衰効果が得られ、誤検知を確実に防止できる。
【００６３】
反射面の一方を凹面に、他方を凸面に形成したが、特にこの限りではなく、両方を凹面、あるいは、凸面に形成しても良い。ただし、反射面の傾斜は、光軸に対して非対称に形成する。
【図面の簡単な説明】
【００６４】
【図１】本実施形態に係る画像処理装置の断面図
【図２】ガイド板の一部に形成された反射面が非対称の凹部の断面図
【図３】ガイド板の一部に形成された反射面が対称の凹部の断面図
【図４】従来の誤検知を防止するためのガイド板の構造を説明するための断面図
【図５】従来の誤検知を防止するためのガイド板の構造を説明するための断面図
【符号の説明】
【００６５】
１  画像形成装置
２  プリンタ
３  スキャナ
４  自動原稿搬送装置
５  記録シート後処理装置
６  多段給紙ユニット
８  中継搬送ユニット
１０  両面搬送ユニット
５３  搬送路
５５  搬送路
１００  検出器
１０１  ガイド板
１０２  切り欠き
１０３  凹部
１０４  反射面
１０５  頂部
３０１ａガイド板
３０１ｂガイド板
３０２ａ上流側の反射面（凸面）
３０２ｂ下流側の反射面（凹面）
３０４  穴
３０５  頂部
Ａ  搬送検出センサ
Ｂ  凹部
Ｃ  搬送路
【図１】
0004971253.tif 000002
【図２】
0004971253.tif 000003
【図３】
0004971253.tif 000004
【図４】
0004971253.tif 000005
【図５】
0004971253.tif 000006